(57)【要約】【課題】投影装置等の電子機器に供給される電源に瞬断が発生したものとしても、その瞬断から復帰した場合に電子機器がスタンバイ状態になることを抑制する。【解決手段】電子機器１が、電子機器本体部５０と、電子機器本体部５０に供給される電力の電圧を入力し、その入力電圧に対して遅れて応答する電圧を出力する遅延回路と、遅延回路の出力電圧を所定の閾値と比較し、その比較結果を出力する電圧検知ＩＣ２６と、起動時に電圧検知ＩＣ２６の比較結果を読み取り、その比較結果が前記閾値以上の旨である場合に電子機器本体部５０を起動させる電源制御マイコン１３と、を備える。【選択図】図１
2015018303.tif 000002
【特許請求の範囲】
【請求項１】
電子機器本体部と、
前記電子機器本体部に供給される電力の電圧が降下した時から前記電子機器本体部に供給される電力の電圧が上昇した時までの電圧降下時間を所定の閾値と比較して、その比較結果を出力する電圧降下時間比較部と、
起動時に前記電圧降下時間比較部の比較結果を読み取り、その比較結果が前記閾値以下の旨である場合に前記電子機器本体部を起動させる制御部と、を備える、
ことを特徴とする電子機器。
【請求項２】
前記比較結果が前記閾値を超える旨である場合に、前記制御部が前記電子機器本体部を起動させない、
ことを特徴とする請求項１に記載の電子機器。
【請求項３】
電子機器本体部と、
前記電子機器本体部に供給される電力の電圧が降下した時から前記電子機器本体部に供給される電力の電圧が上昇した時までの電圧降下時間を所定の閾値と比較して、その比較結果を出力する電圧降下時間比較部と、
起動時に前記電圧降下時間比較部の比較結果を読み取り、その比較結果が前記閾値以下の旨である場合に前記電子機器本体部を電圧が降下する前の電源状態に復帰させる制御部と、を備える、
ことを特徴とする電子機器。
【請求項４】
前記比較結果が前記閾値を超える旨である場合に前記制御部が前記電子機器本体部を起動させない、
ことを特徴とする請求項３に記載の電子機器。
【請求項５】
前記電子機器本体部及び前記制御部に電力を供給する電源回路と、
前記電源回路の電力出力部と前記電子機器本体部の電源入力部との間に設けられ、ノーマリーオフのスイッチング素子と、を更に備え、
前記比較結果が前記閾値以下の旨である場合に前記制御部が前記スイッチング素子をオン状態にすることによって前記電子機器本体部を起動させる、
ことを特徴とする請求項１から４の何れか一項に記載の電子機器。
【請求項６】
前記比較結果が前記閾値を超える旨である場合に前記制御部が前記スイッチング素子をオフ状態にすることによって前記電子機器本体部を起動させない、
ことを特徴とする請求項５に記載の電子機器。
【請求項７】
電子機器本体部と、
前記電子機器本体部に供給される電力の電圧を入力し、その入力電圧に対して遅れて応答する電圧を出力する遅延部と、
前記遅延部の出力電圧を所定の閾値と比較し、その比較結果を出力するコンパレータと、
起動時に前記コンパレータの比較結果を読み取り、その比較結果が前記閾値以上の旨である場合に前記電子機器本体部を起動させる制御部と、を備える、
ことを特徴とする電子機器。
【請求項８】
前記比較結果が前記閾値未満の旨である場合に前記制御部が前記電子機器本体部を起動させない、
ことを特徴とする請求項７に記載の電子機器。
【請求項９】
前記電子機器本体部及び前記制御部に電力を供給する電源回路と、
前記電源回路の電力出力部と前記電子機器本体部の電源入力部との間に設けられ、ノーマリーオフのスイッチング素子と、を更に備え、
前記比較結果が前記閾値以上の旨である場合に前記制御部が前記スイッチング素子をオン状態にすることによって前記電子機器本体部を起動させる、
ことを特徴とする請求項７又は８に記載の電子機器。
【請求項１０】
前記比較結果が前記閾値未満の旨である場合に前記制御部が前記スイッチング素子をオフ状態にすることによって前記電子機器本体部を起動させない、
ことを特徴とする請求項９に記載の電子機器。
【請求項１１】
電子機器本体部と、
前記電子機器本体部に供給される電力の電圧が降下した時から計時を開始し、その計時時間が所定の閾値を超える以前に前記電子機器本体部に供給される電力の電圧が上昇したか否かの判定結果を出力する電圧降下時間計測部と、
前記電圧降下時間計測部の電源電圧を保持する保持部と、
起動時に前記電圧降下時間計測部の判定結果を読み取り、その判定結果が否でない場合に前記電子機器本体部を起動させる制御部と、を備える、
ことを特徴とする電子機器。
【請求項１２】
電子機器本体部と、
前記電子機器本体部に電力を供給する電源回路と、
前記電源回路の電力出力部と前記電子機器本体部の電源入力部との間に設けられ、ノーマリーオフのスイッチング素子と、
前記電子機器本体部の電源入力部の電圧が降下した時から計時を開始し、その計時時間が所定の閾値を超える以前に前記電源回路の電力出力部の電圧が上昇したか否かの判定結果を出力する電圧降下時間計測部と、
前記電圧降下時間計測部の電源電圧を保持する保持部と、
起動時に前記電圧降下時間計測部の判定結果を読み取り、その判定結果が否でない場合に前記電子機器本体部を起動させる制御部と、を備える、
ことを特徴とする電子機器。
【請求項１３】
前記判定結果が否である場合に前記制御部が前記電子機器本体部を起動させない、
ことを特徴とする請求項１１又は１２に記載の電子機器。
【請求項１４】
不揮発性の記憶部と、
前記電子機器本体部に供給される電力の電圧降下前に前記電子機器本体部の状態を表す状態データを前記記憶部に記録する電子機器制御部と、を更に備え、
前記制御部が前記電子機器本体部とともに前記電子機器制御部を起動させ、前記電子機器制御部が起動時に前記記憶部から前記状態データを読み取るとともに、その読み取った状態データに従って前記電子機器本体部を動作させる、
ことを特徴とする請求項１から１３の何れか一項に記載の電子機器。
【請求項１５】
電子機器本体部と、
前記電子機器本体部に電力を供給する電源回路と、
前記電源回路の電力出力部と前記電子機器本体部の電源入力部との間に設けられたスイッチング素子と、
前記スイッチング素子をオンにした状態で前記電子機器本体部に供給される電力の電圧を入力し、その入力電圧が降下した時から計時を開始し、その計時時間が所定の閾値を超えた後に前記入力電圧が上昇した場合に前記スイッチング素子をオフにし、前記計時時間が前記閾値を超える前に前記電子機器本体部の電源入力部の入力電圧が上昇した場合に前記スイッチング素子をオンに保つ制御部と、
前記制御部の電源電圧を保持する保持部と、を備える、
ことを特徴とする電子機器。
【請求項１６】
不揮発性の記憶部と、
前記スイッチング素子よりも前記電子機器本体側で前記電源回路の電力を入力し、前記電子機器本体部に供給される電力の電圧降下前に前記電子機器本体部の状態を表す状態データを前記記憶部に記録する電子機器制御部と、を更に備え、
前記電子機器制御部が前記電源回路の出力電圧の上昇によって起動し、その起動時に前記記憶部から前記状態データを読み取るとともに、その読み取った状態データに従って前記電子機器本体部を動作させる、
ことを特徴とする請求項１５に記載の電子機器。
【請求項１７】
前記電子機器本体部が、映像を投影する投影装置本体部である、
ことを特徴とする請求項１から１６の何れか一項に記載の電子機器。
【請求項１８】
電子機器本体部に供給される電力の電圧が降下した時から前記電子機器本体部に供給される電力の電圧が上昇した時までの電圧降下時間を所定の閾値と比較して、その比較結果を出力するステップと、
起動時に前記比較結果を読み取り、その比較結果が前記閾値以下の旨である場合に前記電子機器本体部を起動させるステップと、を備える、
ことを特徴とする電子機器の制御方法。
【請求項１９】
電子機器のコンピュータに、
電子機器本体部に供給される電力の電圧が降下した時から前記電子機器本体部に供給される電力の電圧が上昇した時までの電圧降下時間を所定の閾値と比較して、その比較結果を出力する機能と、
起動時に前記比較結果を読み取り、
その比較結果が前記閾値以下の旨である場合に前記電子機器本体部を起動させる機能と、を実現させるためのプログラム。
【発明の詳細な説明】
【技術分野】
【０００１】
本発明は、電子機器、電子機器の制御方法及びプログラムに関する。
【背景技術】
【０００２】
特許文献１に開示された投影装置はバックアップ電源を備えており、停電が発生しても投影装置の各部がバックアップ電源により動作し、投影装置の各部に必要なシャットダウン処理が行われるものである。具体的には、メインＣＰＵ及びサブＣＰＵのみならず、電源供給部（電源回路）、ファン、投射部（投射部は少なくとも液晶素子を有する）及びネットワーク部等も停電開始直後しばらく動作させてこれらのシャットダウン処理をするものであるから、バックアップ電源は非常に大容量なものとなる。ところが、特許文献１に記載の投影装置の主電源がＡＣ−ＤＣコンバーターであり、バックアップ電源がキャパシタ（コンデンサ）である場合、ＡＣ−ＤＣコンバーターの出力定格が大きいため、ＡＣ−ＤＣコンバーターの電流値と電圧差を考慮すると、そのキャパシタの容量で投影装置の各部の電圧を確保して、各部の動作を停電後に継続させることは難しい。
また、特許文献１に記載の技術は、瞬断（瞬時停電）が発生した場合、その瞬断から復帰すると投影装置がスタンバイ状態となるものである。
【先行技術文献】
【特許文献】
【０００３】
【特許文献１】特開２００７−３１６３８９号公報
【発明の概要】
【発明が解決しようとする課題】
【０００４】
特許文献１に記載の技術を採用すると、瞬断から復帰後に投影装置を引き続き利用する場合には、ユーザーが投影装置を操作して、投影装置を起動させる必要がある。そのような操作はユーザーにとって煩わしい。また、ユーザーが投影装置から離れた場所にいれば、投影装置を起動させることができない。
そこで、本発明が解決しようとする課題は、投影装置等の電子機器に供給される電源に電圧降下（低下）が発生したものとしても、その状態から復帰した場合に電子機器を適切な状態に復帰させることである。
【課題を解決するための手段】
【０００５】
以上の課題を解決するために、本発明に係る電子機器は、電子機器本体部と、前記電子機器本体部に供給される電力の電圧が降下した時から前記電子機器本体部に供給される電力の電圧が上昇した時までの電圧降下時間を所定の閾値と比較して、その比較結果を出力する電圧降下時間比較部と、起動時に前記電圧降下時間比較部の比較結果を読み取り、その比較結果が前記閾値以下の旨である場合に前記電子機器本体部を起動させる制御部と、を備える。
【０００６】
本発明に係る電子機器は、電子機器本体部と、前記電子機器本体部に供給される電力の電圧が降下した時から前記電子機器本体部に供給される電力の電圧が上昇した時までの電圧降下時間を所定の閾値と比較して、その比較結果を出力する電圧降下時間比較部と、起動時に前記電圧降下時間比較部の比較結果を読み取り、その比較結果が前記閾値以下の旨である場合に前記電子機器本体部を電圧が降下する前の電源状態に復帰させる制御部と、を備える。
【０００７】
本発明に係る電子機器は、電子機器本体部と、前記電子機器本体部に供給される電力の電圧を入力し、その入力電圧に対して遅れて応答する電圧を出力する遅延部と、前記遅延部の出力電圧を所定の閾値と比較し、その比較結果を出力するコンパレータと、起動時に前記コンパレータの比較結果を読み取り、その比較結果が前記閾値以上の旨である場合に前記電子機器本体部を起動させる制御部と、を備える。
【０００８】
本発明に係る電子機器は、電子機器本体部と、前記電子機器本体部に供給される電力の電圧が降下した時から計時を開始し、その計時時間が所定の閾値を超える以前に前記電子機器本体部に供給される電力の電圧が上昇したか否かの判定結果を出力する電圧降下時間計測部と、前記電圧降下時間計測部の電源電圧を保持する保持部と、起動時に前記電圧降下時間計測部の判定結果を読み取り、その判定結果が否でない場合に前記電子機器本体部を起動させる制御部と、を備える。
【０００９】
本発明に係る電子機器は、電子機器本体部と、前記電子機器本体部に電力を供給する電源回路と、前記電源回路の電力出力部と前記電子機器本体部の電源入力部との間に設けられ、ノーマリーオフのスイッチング素子と、前記電子機器本体部の電源入力部の電圧が降下した時から計時を開始し、その計時時間が所定の閾値を超える以前に前記電源回路の電力出力部の電圧が上昇したか否かの判定結果を出力する電圧降下時間計測部と、
前記電圧降下時間計測部の電源電圧を保持する保持部と、起動時に前記電圧降下時間計測部の判定結果を読み取り、その判定結果が否でない場合に前記電子機器本体部を起動させる制御部と、を備える。
【００１０】
本発明に係る電子機器は、電子機器本体部と、前記電子機器本体部に電力を供給する電源回路と、前記電源回路の電力出力部と前記電子機器本体部の電源入力部との間に設けられたスイッチング素子と、前記スイッチング素子をオンにした状態で前記電子機器本体部に供給される電力の電圧を入力し、その入力電圧が降下した時から計時を開始し、その計時時間が所定の閾値を超えた後に前記入力電圧が上昇した場合に前記スイッチング素子をオフにし、前記計時時間が前記閾値を超える前に前記電子機器本体部の電源入力部の入力電圧が上昇した場合に前記スイッチング素子をオンに保つ制御部と、前記制御部の電源電圧を保持する保持部と、を備える。
【００１１】
本発明に係る電子機器の制御方法は、電子機器本体部に供給される電力の電圧が降下した時から前記電子機器本体部に供給される電力の電圧が上昇した時までの電圧降下時間を所定の閾値と比較して、その比較結果を出力するステップと、
起動時に前記比較結果を読み取り、その比較結果が前記閾値以下の旨である場合に前記電子機器本体部を起動させるステップと、を備える。
【００１２】
本発明に係るプログラムは、電子機器のコンピュータに、電子機器本体部に供給される電力の電圧が降下した時から前記電子機器本体部に供給される電力の電圧が上昇した時までの電圧降下時間を所定の閾値と比較して、その比較結果を出力する機能と、起動時に前記比較結果を読み取り、その比較結果が前記閾値以下の旨である場合に前記電子機器本体部を起動させる機能と、を実現させるためのプログラムに行わせる。
【発明の効果】
【００１３】
本発明によれば、電子機器に供給される電力の電圧降下（低下）が発生したとしても、その状態から復帰した場合に電子機器を適切な状態に復帰させることができる。
【図面の簡単な説明】
【００１４】
【図１】本発明の第１実施形態に係る電子機器のブロック図である。
【図２】瞬断及び長期停電の際に同電子機器の第１電源回路の出力電圧及び遅延部の出力電圧に生じる変化を示したものである。
【図３】本発明の第１実施形態に係る電子機器に備わる電源制御マイコンが実行する処理の流れを説明するためのフロー図である。
【図４】本発明の第２実施形態に係る電子機器のブロック図である。
【図５】本発明の第２実施形態及び第３実施形態に係る電子機器に備わる電源制御マイコンが実行する処理の流れを説明するためのフロー図である。
【図６】本発明の第３実施形態に係る電子機器のブロック図である。
【発明を実施するための形態】
【００１５】
以下に、本発明を実施するための形態について、図面を用いて説明する。但し、以下に述べる実施形態には、本発明を実施するために技術的に好ましい種々の限定が付されている。そのため、本発明の技術的範囲を以下の実施形態及び図示例に限定するものではない。
【００１６】
〔第１の実施の形態〕
図１は、本発明の第１実施形態に係る電子機器１を示したブロック図である。この電子機器１は、音声出力機能付きの投影装置である。つまり、電子機器１は、映像及び音声を再生して、音声を出力するとともに、映像を投影する。特に、この電子機器１は映像投影型のデジタルサイネージ（電子看板）であり、映像及び音声は広告に利用される。なお、電子機器１とは別の外部機器によって再生された映像及び音声が電子機器１に入力され、その映像が電子機器１によって投影されるとともに、その音声が電子機器１によって出力されてもよい。
【００１７】
ＡＣ電源２から電子機器１に供給される電力の瞬断が発生すると、この電子機器１に対する電力供給が短時間途切れ、電子機器１が強制的にシャットダウンされる。このような場合でも、電子機器１がレジューム機能を有し、電子機器１に対する電力供給が再開されると、電子機器１が自動的に起動し、電子機器１が瞬断発生直前の状態に復帰して、その状態から電子機器１の処理が再開される。このレジューム機能は瞬断の際に有効であり、電力供給が途切れた時間が長い場合には、レジューム機能は無効であり、たとえ電力供給が再開されても、電子機器１が自動的に起動せずに待機状態（スタンバイ状態）となる。瞬断とは、短い時間の停電であり、より具体的には、電子機器１に対する電力の供給が途切れた時から再開する時までの時間が所定の閾値以下であることをいう。その所定の閾値を超えた時間の停電を長期停電という。電子機器１がＡＣ電源２から強制的に切断された場合に、その切断時間が所定の閾値を超えていれば、その切断も長期停電といい、その切断時間が所定の閾値以下であれば、その切断も瞬断という。
閾値の例としては、約５０ｍｓが設定される。
それにより、例えば、電子機器１のＡＣプラグが、ＡＣコンセントから抜かれたような場合は、長期停電と見なされることとなる。
【００１８】
続いて、電子機器１の構成について説明する。
電子機器１は第一電源回路１１、第二電源回路１２、電源制御マイコン（制御部）１３、電源スイッチ１４、スイッチング素子１５、電圧降下時間比較部（瞬断検知回路）２０、メインマイコン（電子機器制御部）３０、不揮発性メモリ３１及び電子機器本体部５０等を備える。ここで、これらのうちＡＣ／ＤＣコンバーター１１、第二電源回路１２、電源制御マイコン１３、電源スイッチ１４、スイッチング素子１５及び電圧降下時間比較部２０を有する装置（回路）が電源装置１０である。
【００１９】
電源装置１０は、ＡＣ電源２から供給される交流電力を一定電圧の直流電力に変換し、その直流電力を電子機器本体部５０、メインマイコン３０及び不揮発性メモリ３１に供給するものである。
【００２０】
電子機器本体部５０は、電源装置１０から供給された直流電力によって動作するものである。電子機器本体部５０は、コンテンツ記憶部５１、リーダー５２、デコーダー５３、Ｄ／Ａコンバーター５４、アンプ５５、スピーカー５６、映像入力端子６１、映像信号変換部６２、映像信号処理部６３、表示コントローラ６４、表示素子６５、光源制御部６６、光源装置６７及び投影レンズユニット６８等を有する。
【００２１】
電子機器本体部５０はＤＭＤ型投影装置本体部、ＬＣＤ型投影装置本体部又はＬＣＯＳ（エルコス：Liquid crystal on silicon：LCoSは商標)型投影装置本体部である。ＤＭＤ型投影装置本体部とは、表示素子６５にＤＭＤ（デジタル・マイクロミラー・デバイス）を利用したものである。ＬＣＤ型投影装置本体部とは、表示素子６５に透過型ＬＣＤパネル（液晶表示素子パネル）を利用したものである。ＬＣＯＳ型投影装置本体部とは、表示素子６５に反射型ＬＣＤパネルを利用したものである。
【００２２】
コンテンツ記憶部５１は不揮発性メモリ、ハードディスクドライブその他の記憶媒体である。コンテンツ記憶部５１には、映像データ及び音声データからなる動画ファイルが格納されている。コンテンツ記憶部５１は電子機器本体部５０に内蔵されたものでもよいし、電子機器本体部５０に外付けされて電子機器本体部５０から取り外し可能なものでもよい。
【００２３】
リーダー５２は、コンテンツ記憶部５１から動画ファイルを読み出し、その動画ファイルをデコーダー５３に転送する。
【００２４】
デコーダー５３は、動画ファイルを映像データと音声データに分離し、分離した映像データ及び音声データをデコードする。そして、デコーダー５３は、デコードしたデジタル音声信号をＤ／Ａコンバーター５４に転送するとともに、デコードしたデジタル映像信号を映像信号変換部６２に転送する。デコーダー５３によって映像データ及び音声データがデコードされている時には、デコーダー５３がそのデコード位置（再生位置）をメインマイコン３０に出力する。デコード位置（再生位置）とは、映像データ及び音声データの冒頭からの時間を表すものであって、デコーダー５３が映像データ及び音声データのうち現在デコードしている位置をいう。
【００２５】
Ｄ／Ａコンバーター５４は、デコーダー５３から入力したデジタル音声信号をアナログ音声信号に変換して、そのアナログ音声信号をアンプ５５に出力する。
アンプ５５は、Ｄ／Ａコンバーター５４から入力したアナログ音声信号を増幅する。そして、アンプ５５は、増幅した音声信号をスピーカー５６に出力することによってスピーカー５６を駆動する。これにより、音声信号に応じた音声がスピーカー５６から出力される。なお、電子機器１とは別の外部機器から音声を入力する場合には、外部機器から入力された音声がデジタル音声信号であれば、その音声信号がＤ／Ａコンバーター５４に入力され、外部機器から入力された音声がアナログ音声信号であれば、その音声信号がアンプ５５に入力される。
【００２６】
映像入力端子６１は、電子機器１の筐体に設けられている。外部機器（例えば、パソコン、携帯電話機、多機能携帯電話機、再生装置）の映像出力端子が映像信号ケーブルを介して映像入力端子６１に接続されて、外部機器によって出力された映像信号が映像入力端子６１に入力される。
【００２７】
映像信号変換部６２は、映像入力端子６１によって入力される信号がアナログ映像信号の場合、その入力されたアナログ映像信号をデジタル映像信号に変換するとともに、デコーダー５３から入力されるデジタル映像信号或いは映像入力端子６１に入力される信号がデジタル映像信号の場合、その入力されたデジタル映像信号を所定のフォーマットに変換する。また、映像信号変換部６２は、デコーダー５３から入力したデジタル映像信号を所定のフォーマットに変換する。
【００２８】
映像信号処理部６３は、映像信号変換部６２によって出力された映像信号に対して各種の信号処理を行う。例えば、映像信号処理部６３は、映像信号変換部６２から入力した映像信号のスケーリングを行って、映像信号の画素数（解像度）を増減する。また、映像信号処理部６３は、スケーリングされた映像信号に基づく映像の座標変換（例えば、射影変換）を行うことによって、キーストーン補正若しくはフィッティング補正又はこれらの両方を行う。映像信号処理部６３によって信号処理された映像信号は表示コントローラ６４に転送される。
【００２９】
表示素子６５は空間光変調素子であり、より具体的にはＤＭＤ、透過型ＬＣＤパネル又は反射型ＬＣＤパネルである。表示素子６５は二次元アレイ状に配列された複数の画素などを有する。表示素子６５がＤＭＤである場合には、表示素子６５の画素が可動マイクロミラーであり、表示素子６５が透過型ＬＣＤパネル又は反射型ＬＣＤパネルである場合には、表示素子６５の画素が液晶素子である。
【００３０】
表示コントローラ６４は、映像信号処理部６３から入力した映像信号に基づいて表示素子６５を駆動する。例えば表示コントローラ６４が映像信号処理部６３から入力した映像信号に従って表示素子６５の画素毎にＰＷＭ制御又はＰＮＭ制御等をすることで、表示素子６５に照射される光が画素によって画素毎に変調される。これにより、表示素子６５によって映像が形成される。
【００３１】
表示素子６５の数は、一又は複数（例えば３）である。
【００３２】
光源装置６７が表示素子６５に向けて可視光を照射するものである。具体的には、光源装置６７は時分割方式又は色分離方式のものである。
【００３３】
光源装置６７が色分離方式である場合、光源装置６７が白色光源及び色分離器等を有し、白色光源から発した白色光が色分離器によって複数色（例えば、赤色、緑色、青色）の光に分離される。この場合、表示素子６５の数が複数であり、これら表示素子６５が各色の映像をそれぞれ生成し、各色の光が表示素子６５にそれぞれ照射され、表示素子６５をそれぞれ透過又は反射した各色の光が合成される。その合成された投影光が投影レンズユニット６８によってスクリーンに投影されることによって、カラーの映像がそのスクリーンに映る。
【００３４】
光源装置６７が時分割方式である場合、光源装置６７が互いに異なる色の可視光（例えば、赤色光、緑色光、青色光）を順次繰り返して表示素子６５に照射し、その繰り返しの１周期が表示素子６５によって１フレームのカラー映像が生成される期間に相当する。この場合、表示素子６５の数が一であり、表示素子６５が互いに異なる色の映像を順次繰り返して生成する。より具体的には、表示素子６５は、光源装置６７によって出射される光の色と同じ色の映像をその光の出射タイミングに同期させて生成する。表示素子６５を透過又は反射した各色の光が時間軸上で合成され、その合成された投影光が投影レンズユニット６８によってスクリーンに投影されることによって、カラーの映像がスクリーンに映る。
【００３５】
光源装置６７が時分割方式である場合、光源装置６７がカラーフィルタ方式又はカラー光源方式のものとなる。光源装置６７がカラーフィルタ方式である場合、光源装置６７がカラーフィルタ、スピンドルモータ及び白色光源等を有し、カラーフィルタがスピンドルモータによって回転され、白色光源から発した白色光が回転中のカラーフィルタを通過することによって、白色光が各色（赤色、緑色、青色）に順次繰り替えし変換される。光源装置６７がカラー光源方式である場合、光源装置６７が互いに異なる色の複数の光源（例えば、赤色光源、緑色光源、青色光源）を有し、これらの光源が順次繰り返し点灯する。
【００３６】
光源装置６７に利用される光源は、半導体発光素子（例えば、レーザーダイオード、発光ダイオード）又はランプ（例えば、ハロゲンランプ、キセノンランプ、メタルハライド、水銀ランプ、放電灯）であるか、半導体発光素子又はランプに蛍光体を組み合わせたものをいう。
【００３７】
光源制御部６６は光源装置６７の輝度を制御する。
【００３８】
また、光源装置６７が時分割方式である場合には、光源制御部６６が表示コントローラ６４から入力したタイミング信号に基づき光源装置６７の各色光の出射タイミングを制御する。これにより、光源装置６７によって出射される光は、それと同じ色の映像が表示素子６５によって生成されるタイミングに同期する。
【００３９】
投影レンズユニット６８は、複数枚のレンズと、これらのレンズのうち少なくとも一枚以上を光軸方向に移動させる駆動装置と、を備える。投影レンズユニット６８は、レンズが駆動装置によって移動されることによってフォーカシングの調整が可能であるともに、焦点距離の調整が可能である。
【００４０】
メインマイコン３０は、ＣＰＵ、ＲＡＭ及びＲＯＭ等を有する演算処理装置（コンピュータ）である。メインマイコン３０のＲＯＭには、プログラムが格納されている。メインマイコン３０がＲＯＭのプログラムを読み込んで、そのプログラムに従った処理を実行する。これにより、メインマイコン３０が電子機器本体部５０を統合的に制御する。メインマイコン３０は、電子機器本体部５０を統合的に制御する際に、電子機器本体部５０の状態を表すデータ（以下、状態データという）を不揮発性メモリ３１に上書き記録する。これにより、不揮発性メモリ３１に記録される状態データが更新されていく。具体的な例を挙げると、メインマイコン３０が以下の（１）〜（４）に示すような処理を実行する。
【００４１】
（１）  メインマイコン３０は、キーストーン補正若しくはフィッティング補正又はこれらの両方を映像信号処理部６３に行わせる。つまり、メインマイコン３０は、キーストーン補正若しくはフィッティング補正又はこれらの両方の状態を表すパラメーター（例えば、補正係数）を映像信号処理部６３に出力し、映像信号処理部６３は、そのパラメーターに基づいたキーストーン補正若しくはフィッティング補正又はこれらの両方を行う。この際、メインマイコン３０は、そのパラメーターを不揮発性メモリ３１に上書き保存する。不揮発性メモリ３１に記録されたパラメーターは、状態データの一種である。
【００４２】
（２）  メインマイコン３０は、光源制御部６６に輝度制御を行わせる。つまり、メインマイコン３０が輝度を表す調光信号を光源制御部６６に出力し、光源制御部６６がメインマイコン３０から入力した調光信号に応じた輝度で光源装置６７を発光させる。この際、メインマイコン３０は、調光信号が表す輝度データを不揮発性メモリ３１に上書き保存する。不揮発性メモリ３１に記録された輝度データは、状態データの一種である。
【００４３】
（３）  メインマイコン３０が投影レンズユニット６８を制御して、投影レンズユニット６８の焦点距離やフォーカシング距離（投影レンズユニット６８の前玉からピントが合うスクリーンまでの距離）が調整される。この際、メインマイコン３０が焦点距離やフォーカシング距離を不揮発性メモリ３１に上書き保存する。不揮発性メモリ３１に記録された焦点距離及びフォーカシング距離は、状態データの一種である。
【００４４】
（４）  メインマイコン３０は、リーダー５２に読み取り処理を実行させるとともに、デコーダー５３にデコード処理を実行させる。デコーダー５３によって映像データ及び音声データがデコードされている時には、デコーダー５３がそのデコード位置（再生位置）をメインマイコン３０に出力する。デコード位置（再生位置）とは、映像データ及び音声データの冒頭からの時間を表すものであって、デコーダー５３が映像データ及び音声データのうち現在デコードしている位置をいう。メインマイコン３０は、デコーダー５３から入力されるデコード位置を不揮発性メモリ３１に上書き保存する。不揮発性メモリ３１に記録されたデコード位置は、状態データの一種である。
【００４５】
電子機器本体部５０の状態がメインマイコン３０によって不揮発性メモリ３１に記録されるので、瞬断及び長期停電に関わらず停電が発生したものとしても、不揮発性メモリ３１の記憶内容が消去されない。
【００４６】
続いて、電源装置１０について詳細に説明する。
この電源装置１０は、ＡＣ電源２の瞬断の場合でも電源オン状態及び待機状態に関するレジューム機能を有する。つまり、ＡＣ電源２の瞬断の直前に電源装置１０によって電力が電子機器本体部５０及びメインマイコン３０に供給されて、これらが起動している場合（オン状態の場合）には、ＡＣ電源２が瞬断から復帰した後に電源装置１０によって電力が電子機器本体部５０及びメインマイコン３０に供給されて、これらが起動する（オン状態となる）。一方、ＡＣ電源２の瞬断の発生前に電源装置１０によって電力が電子機器本体部５０及びメインマイコン３０に供給されず、これらが起動していない場合（スタンバイ状態の場合）には、ＡＣ電源２が瞬断から復帰した後でも電力が電子機器本体部５０及びメインマイコン３０に供給されず、これらが起動しない（スタンバイ状態となる）。
【００４７】
ＡＣ電源２の長期停電の場合には、電源装置１０のレジューム機能が無効となる。つまり、ＡＣ電源２の長期停電の直前に電源装置１０によって電力が電子機器本体部５０及びメインマイコン３０に供給されていようとなかろうと、ＡＣ電源２が長期停電から復帰した後は、電源装置１０によって電力が電子機器本体部５０及びメインマイコン３０に供給されず、これらが起動しない。
【００４８】
続いて、電源装置１０の各部について詳細に説明する。
第一電源回路１１はＡＣ−ＤＣコンバーターである。そのため、以下では、第一電源回路１１をＡＣ−ＤＣコンバーター１１という。ＡＣ−ＤＣコンバーター１１は、ＡＣ電源２から供給される交流電力を直流電力に変換する。ＡＣ−ＤＣコンバーター１１は定電圧電源であり、ＡＣ−ＤＣコンバーター１１の出力電圧（Ａ部の電圧）が一定値にほぼ保たれる。
【００４９】
ＡＣ−ＤＣコンバーター１１の電力出力部がスイッチング素子（例えば、ＦＥＴ）１５を介して電子機器本体部５０の電源入力部及びメインマイコン３０の電源入力部に接続されている。スイッチング素子１５がオンである場合に、所定の値の電圧がメインマイコン３０及び電子機器本体部５０に印加され、ＡＣ−ＤＣコンバーター１１からメインマイコン３０及び電子機器本体部５０（Ｂ部）へ電力が供給される。
【００５０】
ＡＣ−ＤＣコンバーター１１から電子機器本体部５０の各部（リーダー５２、デコーダー５３、Ｄ／Ａコンバーター５４、アンプ５５、映像信号変換部６２、映像信号処理部６３、表示コントローラ６４、表示素子６５、光源制御部６６、光源装置６７及び投影レンズユニット６８等）に直接電力が供給されるか、安定化電源を介して供給される。安定化電源は、ＡＣ−ＤＣコンバーター１１から供給された直流の電力を所定の電圧の電力に変換して、その変換後の電力を電子機器本体部５０の各部に供給するものである。安定化電源としては、チョッパ制御電源、スイッチング制御電源又はシリーズレギュレーター電源を用いることができる。安定化電源は、電子機器本体部５０の各部にそれぞれ設けられてもよい。
【００５１】
スイッチング素子１５は、ＡＣ−ＤＣコンバーター１１の電力出力部からメインマイコン３０の電源入力部及び電子機器本体部５０の電源入力部までの電路上に設けられている。スイッチング素子１５は、ノーマリーオフのＦＥＴである。つまり、スイッチング素子１５のゲートに電圧がかかっていないと、スイッチング素子１５がオフ状態となる。
【００５２】
ＡＣ−ＤＣコンバーター１１は、第二電源回路１２を介して電源制御マイコン１３に電力を供給する。ここで、ＡＣ−ＤＣコンバーター１１の電力出力部が第二電源回路１２の電力入力部に接続され、第二電源回路１２の電力出力部が電源制御マイコン１３の電源入力部（Ｖｃｃ入力端子）に接続されている。
【００５３】
スイッチング素子１５のオン・オフに関わらず、ＡＣ−ＤＣコンバーター１１の出力電圧が第二電源回路１２の電力入力部に印加され、ＡＣ−ＤＣコンバーター１１から第二電源回路１２へ電力が供給される。
第二電源回路１２は、ＡＣ−ＤＣコンバーター１１によって供給された直流の入力電力を直流の出力電力に変換する。第二電源回路１２は定電圧のＤＣ−ＤＣコンバーターであり、第二電源回路１２の出力電圧が一定値にほぼ保たれる。特に、第二電源回路１２はシリーズレギュレーターである。
【００５４】
第二電源回路１２の出力電圧が電源制御マイコン１３の電源入力部に印加され、第二電源回路１２から電源制御マイコン１３へ電力が供給される。
【００５５】
また、第二電源回路１２の電力出力部が電圧降下時間比較部２０の電源入力部（電圧検知ＩＣ２６のＶｓｓ入力端子）に接続されており、第二電源回路１２の出力電圧が電圧降下時間比較部２０の電源入力部に印加され、第二電源回路１２から電圧降下時間比較部２０へ電力が供給される。
【００５６】
電圧降下時間比較部２０は、ＡＣ−ＤＣコンバーター１１からメインマイコン３０及び電子機器本体部５０に供給される電力の電圧低下が瞬断であるか否かを検知する瞬断検知回路である。電圧降下時間比較部２０によって電圧がモニタリングされる部位は、メインマイコン３０の電源入力部及び電子機器本体部５０の電源入力部（Ｂ部）である。スイッチング素子１５がオンになっている状態で瞬断又は長期停電が発生した場合のＡ部の電圧変化について図２（ａ）、（ｂ）を参照して説明する。図２（ａ）は、瞬断が発生した場合のＡ部の電圧変化を模式的に示すものであり、図２（ｂ）は、長期停電が発生した場合のＡ部の電圧変化を模式的に示すものである。
【００５７】
図２（ａ），（ｂ）に示すように、瞬断及び長期停電に関わらず、ＡＣ電源２が停電すると、Ａ部の電圧が立ち下がり、ＡＣ電源２が停電から復帰すると、Ａ部の電圧が立ち上がる。電圧降下時間比較部２０は、Ａ部の電圧が降下した時から上昇した時までのこの電圧降下時間を所定の閾値と比較して、その比較結果を電源制御マイコン１３に出力するものである。なお、図２（ａ），（ｂ）に示すＶaは、ＡＣ−ＤＣコンバーター１１の出力電圧である。
【００５８】
続いて、図１を用いて、電圧降下時間比較部２０の構成について詳細に説明する。電圧降下時間比較部２０は、整流素子２１、キャパシタ２２、抵抗器２３，２４，２５及び電圧検知ＩＣ２６を備える。
【００５９】
整流素子２１のアノードがメインマイコン３０の電源入力部、電子機器本体部５０の電源入力部及びスイッチング素子１５に接続されている。
【００６０】
整流素子２１のカソードがキャパシタ２２の一方の端子に接続され、キャパシタ２２の他方の端子がグランドに接続されている。抵抗器２３，２４，２５が整流素子２１のカソードとグランドとの間に直列接続され、これら抵抗器２３，２４，２５とキャパシタとが整流素子２１のカソードとグランドとの間に並列接続されている。抵抗器２４と抵抗器２５との接続部が電圧検知ＩＣ２６の入力端子に接続されている。なお、抵抗器２３，２４を省略し、電圧検知ＩＣ２６の入力端子が整流素子２１のカソード及びキャパシタ２２の一方の端子に接続されてもよい。
【００６１】
キャパシタ２２及び抵抗器２３，２４，２５からなる遅延回路は、ＡＣ−ＤＣコンバーター１１から電子機器本体部５０へ供給される電力の電圧を、整流素子２１を介して入力し、その入力電圧に対して遅れて応答する電圧を電圧検知ＩＣ２６の入力端子に出力するものである。電圧検知ＩＣ２６の入力電圧（遅延回路の出力電圧）Ｖinの変化について、図２（ｃ），（ｄ）を参照して詳細に説明する。図２（ｃ）は、瞬断が発生した場合の電圧検知ＩＣ２６の入力電圧Ｖinの変化を示すものであり、図２（ｄ）は、長期停電が発生した場合の電圧検知ＩＣ２６の入力電圧Ｖinの電圧変化を示すものである。
【００６２】
瞬断及び長期停電に関わらず、スイッチング素子１５がオンになっている状態で停電が発生すると、電圧検知ＩＣ２６の入力電圧Ｖinが漸次低下し、電圧検知ＩＣ２６の入力電圧ＶinがＡ部の電圧に対して遅れて低下する。これは、キャパシタ２２と抵抗器２３，２４，２５での放電に関する過渡現象によるものである。なお、スイッチング素子１５がオンになっている状態で停電が発生すると、後述の第二電源回路１２が強制的にシャットダウンされるので、停電発生時にスイッチング素子１５がオフになる。
【００６３】
電圧検知ＩＣ２６の入力電圧ＶinがＡ部の電圧に対して遅れて応答するので、図２（ｃ）に示すように瞬断の終了時（ＡＣ電源２が瞬断から復帰した時）には、電圧検知ＩＣ２６の入力電圧Ｖinが所定の閾値Ｖth以上である。それに対して、長期停電の場合には、図２（ｄ）に示すように長期停電の終了時（ＡＣ電源２が長期停電から復帰した時）には、電圧検知ＩＣ２６の入力電圧Ｖinが閾値Ｖth未満である。ここで、閾値Ｖthは、Ａ部の電圧降下が瞬断と長期停電の何れかであるかを判別するためのものである。なお、図２（ｃ），（ｄ）に示すＶbは、スイッチング素子１５がオンでキャパシタ２２が満充電されている状態でＡ部の電圧がＶaである場合の電圧検知ＩＣ２６の入力電圧Ｖinの値である。
【００６４】
電圧検知ＩＣ２６はコンパレータである。つまり、電圧検知ＩＣ２６は、その入力電圧Ｖinと閾値Ｖthを比較して、その比較結果を出力電圧Ｖoutとして電源制御マイコン１３に出力する。入力電圧Ｖinが閾値Ｖth以上であれば、出力電圧Ｖoutがハイ（１）であり、入力電圧Ｖinが閾値Ｖth未満であれば、出力電圧Ｖoutがロー（０）である。比較結果と出力電圧Ｖoutの関係が逆であってもよい。
このように、瞬断と長期停電の時間軸の閾値が、電圧検知ＩＣ２６の入力電圧Ｖinが閾値Ｖthに対応するように、キャパシタ２２と抵抗器２３，２４，２５の定数及び閾値Ｖthが決定されている。
【００６５】
電圧検知ＩＣ２６が入力電圧Ｖinと閾値Ｖthとを比較する処理は、電圧降下時間比較部２０がＡ部の電圧降下時間と所定の閾値とを比較する処理と同等である。従って、入力電圧Ｖinが閾値Ｖth以上であれば、電圧降下時間比較部２０による比較結果は電圧降下時間が所定の閾値以下となる旨であり、それは電圧降下時間比較部（瞬断検知部）２０により瞬断を検知したことになる。一方、入力電圧Ｖinが閾値Ｖth未満であれば、電圧降下時間比較部２０による比較結果は電圧降下時間が所定の閾値を超える旨であり、それは電圧降下時間比較部（瞬断検知部）２０により長期停電を検知したことになる。
【００６６】
電圧検知ＩＣ２６は、第二電源回路１２によって供給された電力によって動作する。そのため、瞬断及び長期停電に関わらず、更にスイッチング素子１５のオン・オフに関わらず、停電が発生した場合には、電圧検知ＩＣ２６が強制的に停止される。その後停電から復帰した場合には、第二電源回路１２によって電圧検知ＩＣ２６に電力が供給されるので、電圧検知ＩＣ２６が動作する。
【００６７】
スイッチング素子１５がオンとなった状態で瞬断が発生し、これにより電圧検知ＩＣ２６が停止した場合でも、キャパシタ２２の過渡現象により電圧検知ＩＣ２６の入力電圧Ｖinが閾値以上に保持されるので、その後の復帰時に電圧降下時間比較部２０によって瞬断を検知することができる。一方、スイッチング素子１５がオンとなった状態で長期停電が発生すると、キャパシタ２２の過渡現象が終了し、又は終了しかけているので、電圧検知ＩＣ２６の入力電圧Ｖinが閾値未満になり、これにより長期停電を電圧降下時間比較部２０によって検知することができる。つまり、スイッチング素子１５がオンとなった状態での瞬断か長期停電かを電圧降下時間比較部２０によって識別することができる。
【００６８】
また、スイッチング素子１５がオフとなった状態で停電が発生した場合を考えると、停電が発生時に、既にキャパシタ２２は十分に放電されている状態であるので、電圧検知ＩＣ２６の入力電圧Ｖinが閾値Ｖth未満のままである。そのため、瞬断か長期停電かに関わらず、スイッチング素子１５がオフとなった状態で停電が発生した場合は、瞬断か長期停電かを電圧降下時間比較部２０によって識別することができないが、瞬断及び長期停電のどちらの停電でも電圧降下時間比較部２０によりスイッチング素子１５がオンの状態で長期停電した場合と同じ現象として検知される。これは、図１に示すＡ部の電圧ではなくＢ部の電圧が、電圧降下時間比較部２０によって直接モニタリングされるためである。
【００６９】
続いて、電源制御マイコン１３及び電源スイッチ１４について説明する。
電源スイッチ１４はユーザーによってオン・オフ操作される。電源スイッチ１４がユーザーによってオン操作されると、その旨の信号が電源スイッチ１４から電源制御マイコン１３に出力される。一方、電源スイッチ１４がユーザーによってオフ操作されると、その旨の信号が電源スイッチ１４から電源制御マイコン１３に出力される。
【００７０】
電源制御マイコン１３は、ＣＰＵ、ＲＡＭ及びＲＯＭ等を有する演算処理装置（コンピュータ）である。電源制御マイコン１３のＲＯＭには、プログラムが格納されている。電源制御マイコン１３がＲＯＭのプログラムを読み込んで、そのプログラムに従った処理を実行する。
【００７１】
電源制御マイコン１３は、第二電源回路１２によって供給された電力によって動作する。そのため、瞬断及び長期停電に関わらず、停電が発生した場合には、電源制御マイコン１３が強制的に停止される。一方、停電から復帰した場合には、第二電源回路１２によって電源制御マイコン１３に電力が供給されるので、電源制御マイコン１３が起動する。
【００７２】
続いて、起動後の電源制御マイコン１３の処理について図３を参照して説明する。
瞬断及び長期停電に関わらず停電から復帰して、電源制御マイコン１３が起動すると、電源制御マイコン１３がプログラムに従って図３に示す処理を実行する。
【００７３】
まず、電源制御マイコン１３は、電圧検知ＩＣ２６による比較結果（出力電圧Ｖout）を読み取る（ステップＳ１）。ここで、停電直前にスイッチング素子１５がオン状態である場合、瞬断後に電源制御マイコン１３が起動したのであれば、電源制御マイコン１３が起動する直前のＡ部の電圧降下時間が所定の閾値以下であり、電圧検知ＩＣ２６による比較結果は入力電圧Ｖinが閾値Ｖth以上である旨を表す。停電直前にスイッチング素子１５がオン状態である場合に、長期停電後に電源制御マイコン１３が起動したのであれば、電源制御マイコン１３が起動する直前のＡ部の電圧降下時間が所定の閾値を超え、電圧検知ＩＣ２６による比較結果は入力電圧Ｖinが閾値Ｖth未満である旨を表す。停電直前にスイッチング素子１５がオフ状態である場合（オフ状態が長期続いていた場合）に、長期停電及び瞬断のどちらの停電の後に電源制御マイコン１３が起動したのであれば、電源制御マイコン１３が起動する直前のＢ部の電圧降下自体が発生しない（停電時から閾値Ｖth未満である）ので、電圧検知ＩＣ２６による比較結果は入力電圧Ｖinが閾値Ｖth未満である旨を表す。
【００７４】
そして、電源制御マイコン１３は、その電圧検知ＩＣ２６による比較結果に応じてスイッチング素子１５のオン・オフを決める（ステップＳ２、ステップＳ３、ステップＳ４）。
【００７５】
つまり、入力電圧Ｖinが閾値Ｖth以上である旨の比較結果（停電前オン時瞬断）である場合（ステップＳ２：ＹＥＳ）、電源制御マイコン１３がスイッチング素子１５をオンにして、電子機器本体部５０及びメインマイコン３０を起動させる（ステップＳ３）。従って、瞬断直前にスイッチング素子１５がオン状態である場合、瞬断から復帰した後に電源制御マイコン１３が起動したのであれば、電子機器本体部５０及びメインマイコン３０の起動により電子機器１が自動的に起動する。その後、電源制御マイコン１３の処理が終了する。
【００７６】
一方、入力電圧Ｖinが閾値Ｖth未満である旨（停電前オン時長期停電、又は停電前オフ時）の比較結果である場合（ステップＳ２：ＮＯ）、電源制御マイコン１３がスイッチング素子１５をオンにせず、電源スイッチ１４のオン出力に対して応答するように待機する（スタンバイ状態とする）（ステップＳ４（、ステップＳ５：ＮＯ））。従って、長期停電直前にスイッチング素子１５がオン状態である場合、長期停電から復帰した後に電源制御マイコン１３が起動したのであれば、電子機器本体部５０及びメインマイコン３０が起動せずに、電子機器１が待機状態（スタンバイ状態）となる。更に、停電直前にスイッチング素子１５がオブ状態である場合、長期停電又は瞬断から復帰した後に電源制御マイコン１３が起動したのであれば、電子機器本体部５０及びメインマイコン３０が起動せずに、電子機器１が待機状態となる。
【００７７】
電子機器１が待機状態である場合に、ユーザーが電源スイッチ１４をオン操作する。そうすると、その旨の信号が電源スイッチ１４から電源制御マイコン１３に出力され（ステップＳ５：ＹＥＳ）、それを入力した電源制御マイコン１３がスイッチング素子１５をオンにする（ステップＳ６）。そうすると、電子機器本体部５０及びメインマイコン３０が起動して、電子機器１がオン状態になる。
【００７８】
続いて、停電発生前に電子機器本体部５０及びメインマイコン３０が動作している場合に、停電から復帰後に電子機器本体部５０及びメインマイコン３０が起動するときの電子機器本体部５０及びメインマイコン３０の動作について説明する。
【００７９】
上述したように、停電発生前では、メインマイコン３０が状態データを不揮発性メモリ３１に上書き記録する。そのため、停電発生後でも、状態データが不揮発性メモリ３１に記憶されている。そして、停電から復帰後にメインマイコン３０が起動すると、そのメインマイコン３０は状態データを不揮発性メモリ３１から読み取り、その状態データに従って電子機器本体部５０を制御して電子機器本体部５０の初期設定を行う。具体的な例を挙げると、メインマイコン３０が以下の（Ａ）〜（Ｄ）に示すような処理を実行する。
【００８０】
（Ａ）  メインマイコン３０は、キーストーン補正若しくはフィッティング補正又はこれらの両方の状態を表すパラメーターを不揮発性メモリ３１から読み取る。そして、メインマイコン３０がそのパラメーターを映像信号処理部６３に出力して、キーストーン補正若しくはフィッティング補正又はこれらの両方を映像信号処理部６３に行わせる。そうすると、映像信号処理部６３がそのパラメーターに基づいたキーストーン補正若しくはフィッティング補正又はこれらの両方を行う。
【００８１】
（Ｂ）  メインマイコン３０は不揮発性メモリ３１から輝度データを読み取る。そして、メインマイコン３０がその輝度データに応じた調光信号を光源制御部６６に出力すると、光源制御部６６がメインマイコン３０から入力した調光信号に応じた輝度で光源装置６７を発光させる。
【００８２】
（Ｃ）  メインマイコン３０が不揮発性メモリ３１から焦点距離及びフォーカシング距離を読み取る。そして、メインマイコン３０が投影レンズユニット６８を制御して、投影レンズユニット６８の焦点距離及びフォーカシング距離を読み取った焦点距離及びフォーカシング距離にする。
【００８３】
（Ｄ）  メインマイコン３０が不揮発性メモリ３１からデコード位置を読み取る。そして、メインマイコン３０は、読み取ったデコード位置から動画ファイルを読み取ることをリーダー５２に実行させるとともに、デコーダー５３にデコード処理を実行させる。そうすると、停電後も、動画が停電直前の位置から再生される。
【００８４】
本発明の実施の形態によれば、以下のような作用効果を奏する。
【００８５】
（１）  瞬断・長期停電に関わらず、停電が発生すると、電子機器本体部５０、メインマイコン３０、電源制御マイコン１３及び電圧検知ＩＣ２６が強制的にシャットダウンしてしまう。そうであったとしても、キャパシタ２２及び抵抗器２３〜２５からなる遅延回路によってその遅延回路の出力電圧が第一電源回路１１の出力電圧から遅れて降下するので、瞬断から復帰すれば、電圧検知ＩＣ２６により瞬断を検知することができる。そして、瞬断の検知によってスイッチング素子１５がオン状態になって、電子機器本体部５０及びメインマイコン３０が起動されるから、瞬断からの復帰後に電子機器１が自動的にオン状態になる。よって、瞬断後にユーザーが電子機器１をオン操作する必要がなくなる。
【００８６】
（２）  停電発生直後にメインマイコン３０、電源制御マイコン１３、電圧検知ＩＣ２６及び電子機器本体部５０（これらの中でも特に電子機器本体部５０）を継続して動作させるために必要な大容量キャパシタ等のバックアップ電源を設けなくても済む。
【００８７】
（３）  停電発生前にスイッチング素子１５がオフ状態となっていると、その後に瞬断・長期停電が発生してそれが復帰しても、電子機器本体部５０及びメインマイコン３０が起動されない。（これは、スイッチング素子１５よりも電子機器本体部５０側のＢの電圧がキャパシタ２２及び抵抗器２３〜２５からなる遅延回路に入力されるためである。つまり、スイッチング素子１５がオフ状態となっていれば、遅延回路の入力電圧が降下しないためである。）
したがって、ＡＣプラグを抜いて、ＡＣプラグ挿したような場合に、いきなり起動されてしまうようなことを防ぐことができる。
【００８８】
（４）  停電発生前に状態データが不揮発性メモリ３１に記録されるため、瞬断から復帰後に電子機器本体部５０が瞬断発生前の状態で動作する。
【００８９】
〔第２の実施の形態〕
図４は、本発明の第２実施形態に係る電子機器１Ａを示したブロック図である。
この電子機器１Ａは、第１実施形態に係る電子機器１の電圧降下時間比較部２０を電圧降下時間計測マイコン１２０に変更したものである。電圧降下時間計測マイコン１２０と電圧降下時間比較部２０が相違する点を除いて、電子機器１Ａと電子機器１が同様に設けられている。そこで、電子機器１Ａと電子機器１が一致する部分には同一の符号を付して、重複した説明を省略する。
【００９０】
この電圧降下時間計測マイコン１２０は、電圧降下時間比較部であるとともに、瞬断検知部でもある。電圧降下時間計測マイコン１２０の電源入力部が整流素子１２１のカソードに接続され、整流素子１２１のアノードが第二電源回路１２の電力出力部に接続されている。第二電源回路１２によって所定の値の電圧が電圧降下時間計測マイコン１２０の電源入力部に印加され、第二電源回路１２から電圧降下時間計測マイコン１２０へ電力が供給される。これにより、電圧降下時間計測マイコン１２０が動作する。
【００９１】
停電直後に電圧降下時間計測マイコン１２０が強制的にシャットダウンされることを抑制するべく、キャパシタ（保持部）１２２が設けられている。このキャパシタ１２２の一方の端子は電圧降下時間計測マイコン１２０の電源入力部に接続され、キャパシタ１２２の他方の端子はグランドに接続されている。停電により第二電源回路１２の出力電圧が立ち下がっても、このキャパシタ１２２での充電により電圧降下時間計測マイコン１２０の電源入力部の電圧が遅れて低下するので、停電後一定時間の間は電圧降下時間計測マイコン１２０の電源電圧が保持されて、電圧降下時間計測マイコン１２０が動作する。
【００９２】
電圧降下時間計測マイコン１２０の端子ＳＴには、メインマイコン３０の電源入力部、電子機器本体部５０の電源入力部及びスイッチング素子１５（Ｂ部）が接続されている。
電圧降下時間計測マイコン１２０の端子ＳＴＰには、ＡＣ−ＤＣコンバーター１１の電力出力部（Ａ部）が接続されている。
【００９３】
電圧降下時間計測マイコン１２０はＣＰＵ、ＲＡＭ及びＲＯＭ等を有する演算処理装置（コンピュータ）である。電圧降下時間計測マイコン１２０のＲＯＭには、プログラムが格納されている。電圧降下時間計測マイコン１２０がＲＯＭのプログラムを読み込んで、そのプログラムに従った処理を実行する。具体的には、電圧降下時間計測マイコン１２０は、初期化処理と、図４に示すＡ部の電圧降下時間を測定する処理とを実行する。
【００９４】
まず、初期化処理について説明する。
電圧降下時間計測マイコン１２０が起動した時、及び、後述するように、端子ＳＴＰに入力されるＡ部の電圧の立ち上がり時には、電圧降下時間計測マイコン１２０が出力電圧Ｖoutをローにリセットする。その後、電圧降下時間計測マイコン１２０は出力電圧Ｖoutをローに維持する。
【００９５】
続いて、電圧降下時間の測定処理について説明する。
スイッチング素子１５がオンとなっている状態で、電圧降下時間計測マイコン１２０の起動中に停電が発生すると、ＡＣ−ＤＣコンバーター１１の出力電圧が立ち下がり、電源制御マイコン１３、メインマイコン３０及び電子機器本体部５０が強制的にシャットダウンされ、スイッチング素子１５がオフ状態になる。そうすると、電圧降下時間計測マイコン１２０の端子ＳＴの電圧も立ち下がり、それにより電圧降下時間計測マイコン１２０が計時を開始する。なお、停電直後は、キャパシタ１２２の過渡現象によって電圧降下時間計測マイコン１２０がシャットダウンしない。
【００９６】
その後、停電から復帰すると、ＡＣ−ＤＣコンバーター１１の出力電圧が立ち上がり、電圧降下時間計測マイコン１２０の端子ＳＴＰの電圧も立ち上がる。電圧降下時間計測マイコン１２０の端子ＳＴＰの電圧の立ち上がりによって、電圧降下時間計測マイコン１２０はＡ部の電圧降下が瞬断であるか、長期停電であるかを検知する。具体的には、測定中の計時時間が所定の閾値を超える以前にＡＣ−ＤＣコンバーター１１の出力電圧が立ち上がった場合には、電圧降下時間計測マイコン１２０が出力電圧Ｖoutをハイに立ち上げる。一方、測定中の計時時間が所定の閾値を超えた後にＡＣ−ＤＣコンバーター１１の出力電圧が立ち上がった場合には、電圧降下時間計測マイコン１２０が出力電圧Ｖoutをローに保つ。
【００９７】
ＡＣ−ＤＣコンバーター１１の出力電圧が立ち上がった時に応じて瞬断と長期停電の何れかを検知する処理は、ＡＣ−ＤＣコンバーター１１の出力電圧が立ち上がった時の計時時間が所定閾値と比較して、その比較結果を出力する処理と同等である。計時時間が所定閾値以下の旨の比較結果であれば、電圧降下時間計測マイコン１２０が出力電圧Ｖoutをハイに立ち上げ、計時時間が所定閾値を超える旨の比較結果であれば、電圧降下時間計測マイコン１２０が出力電圧Ｖoutをローに保つ。
【００９８】
出力電圧Ｖoutは、電圧降下時間計測マイコン１２０の計時処理による判定結果（比較結果）を表す。つまり、出力電圧Ｖoutがハイであれば、判定結果は、測定中の計時時間が所定の閾値を超える以前にＡＣ−ＤＣコンバーター１１の出力電圧が立ち上がった旨（瞬断）を表す。一方、出力電圧Ｖoutがローであれば、判定結果は、測定中の計時時間が所定の閾値を超えた後にＡＣ−ＤＣコンバーター１１の出力電圧が立ち上がった旨（長期停電）を表す。
【００９９】
ＡＣ−ＤＣコンバーター１１の出力電圧が立ち上がる前に、キャパシタ１２２の放電が終了し、又は終了しかけると、電圧降下時間計測マイコン１２０の電源入力部の電圧の低下により、電圧降下時間計測マイコン１２０がシャットダウンするので、電圧降下時間の測定処理が途中で終了する。
【０１００】
スイッチング素子１５がオフとなっている状態で、電圧降下時間計測マイコン１２０の起動中に停電が発生したものとしても、電圧降下時間計測マイコン１２０の端子ＳＴの電圧は十分に低いまま変化しないので、電圧降下時間計測マイコン１２０が電圧降下時間の測定処理を実行しない。そして、初期化処理が行われているので、電圧降下時間計測マイコン１２０は出力電圧Ｖoutをローに維持する。
【０１０１】
停電から復帰した場合には、電源制御マイコン１３が起動して図３とほぼ同様の図５に示す処理を実行する。図５に示すステップＳ１では、電源制御マイコン１３が、電圧降下時間計測マイコン１２０から入力した判定結果（出力電圧Ｖout）を読み取る。電圧降下時間計測マイコン１２０は、端子ＳＴＰに入力されるＡ部の電圧の立ち上がりにより上述のような初期化処理を実行する。
【０１０２】
図５に示すステップＳ２では、測定中の計時時間が所定の閾値を超える以前にＡＣ−ＤＣコンバーター１１の出力電圧が立ち上がった旨（瞬断）の判定結果であれば（ステップＳ２：ＹＥＳ）、電源制御マイコン１３の処理がステップＳ３に移行する。一方、測定中の計時時間が所定の閾値を超えた後にＡＣ−ＤＣコンバーター１１の出力電圧が立ち上がった旨（長期停電）の判定結果であれば（ステップＳ２：ＮＯ）、電源制御マイコン１３の処理がステップＳ４に移行する。なお、図５に示す処理は第１実施形態と同様であるので、図５に示す処理の詳細な説明を省略する。
【０１０３】
判定結果と出力電圧Ｖoutの関係が逆であってもよいが、その場合、上述の初期化処理において電圧降下時間計測マイコン１２０が出力電圧Ｖoutをハイにリセットする。
【０１０４】
上述の説明では、第二電源回路１２の出力電圧が電圧降下時間計測マイコン１２０の電源入力部に印加されていた。その代わりに、一次電池又は二次電池を用いてもよい。つまり、一次電池又は二次電池の電圧が電圧降下時間計測マイコン１２０の電源入力部に印加され、それにより電圧降下時間計測マイコン１２０が動作してもよい。そうすれば、停電時でも電圧降下時間計測マイコン１２０の動作が継続する。この場合、一次電池又は二次電池が、電圧降下時間計測マイコン１２０の電源電圧を保持する保持部である。
【０１０５】
本実施形態においても、瞬断からの復帰後に電子機器１が自動的にオン状態になるので、瞬断後にユーザーが電子機器１Ａをオン操作する必要がなくなる。
また、バックアップ電源としてキャパシタ１２２があるものの、電圧降下時間計測マイコン１２０の消費電力が低いうえに、そのキャパシタ１２２は電子機器本体部５０の動作を継続させるものではない。それゆえ、キャパシタ１２２の容量は、瞬断時の電圧降下時間計測マイコン１２０の動作を継続させる程度の最小限で済む。
また、停電発生前にスイッチング素子１５がオフ状態となっていると、停電復帰後でも電子機器本体部５０及びメインマイコン３０が起動されない。（これは、スイッチング素子１５よりも電子機器本体部５０側のＢの電圧降下によって電圧降下時間計測マイコン１２０の計時が開始するためである。）
したがって、ＡＣプラグを抜いて、ＡＣプラグ挿したような場合に、いきなり起動されてしまうようなことを防ぐことができる。
【０１０６】
〔第３の実施の形態〕
図６は、本発明の第３実施形態に係る電子機器１Ｂを示したブロック図である。
この電子機器１Ｂは、第１実施形態に係る電子機器１の電圧降下時間比較部２０を設けていないものである。また、メインマイコン３０の電源入力部及び電子機器本体部５０の電源入力部が電源制御マイコン２１３に接続され、図６に示すＢ部の電圧が電源制御マイコン２１３によってモニタリングされるようになっている。第３実施形態の電源制御マイコン２１３のＲＯＭ中のプログラムが第１実施形態の電源制御マイコン１３のＲＯＭ中のプログラムと相違し、第３実施形態の電源制御マイコン２１３が実行する処理は第１実施形態の電源制御マイコン１３が実行する処理と相違する。これらの点を除いて、電子機器１Ａと電子機器１が同様に設けられている。そこで、電子機器１Ａと電子機器１が一致する部分には同一の符号を付して、重複した説明を省略する。
【０１０７】
停電直後に電源制御マイコン２１３が強制的にシャットダウンされることを抑制するべく、整流素子２２１及びキャパシタ２２２が設けられている。電源制御マイコン２１３の電源入力部が整流素子２２１のカソードに接続され、整流素子２２１のアノードが第二電源回路１２の電力出力部に接続されている。このキャパシタ２２２の一方の端子は電源制御マイコン２１３の電源入力部に接続され、キャパシタ２２２の他方の端子はグランドに接続されている。停電により第二電源回路１２の出力電圧が立ち下がっても、このキャパシタ２２２の充電により電源制御マイコン２１３の電源入力部の電圧が遅れて低下するので、停電後一定時間の間は電源制御マイコン２１３の電源電圧が保持され、電源制御マイコン２１３が動作する。なお、一次電池又は二次電池の電圧が電源制御マイコン２１３の電源入力部に印加され、それにより電源制御マイコン２１３が動作してもよい。そうすれば、停電時でも電源制御マイコン２１３の動作が継続する。
【０１０８】
瞬断及び長期停電に関わらず停電から復帰して、電源制御マイコン２１３が起動すると、電源制御マイコン２１３は図５に示すステップＳ４、ステップＳ５及びステップＳ６の処理を実行する。つまり、まず、電源制御マイコン２１３は、電源スイッチ１４のオン出力に対して応答するように待機する（ステップＳ４（、ステップＳ５：ＮＯ））。従って、電子機器１が待機状態となる。
そして、ユーザーが電源スイッチ１４をオン操作する。そうすると、その旨の信号が電源スイッチ１４から電源制御マイコン２１３に出力され（ステップＳ５：ＹＥＳ）、それを入力した電源制御マイコン２１３がスイッチング素子１５をオンにする（ステップＳ６）。そうすると、電子機器本体部５０及びメインマイコン３０が起動して、電子機器１がオン状態になる。
【０１０９】
スイッチング素子１５がオン状態となって、電子機器本体部５０及びメインマイコン３０が動作している時の電源制御マイコン２１３の処理について説明する。
電源制御マイコン２１３は図６に示すＢ部の電圧をモニタリングする。そして、停電が発生すると、ＡＣ−ＤＣコンバーター１１の出力電圧が立ち下がり、メインマイコン３０及び電子機器本体部５０が強制的にシャットダウンされる。そうであっても、キャパシタ２２２の充電によって電源制御マイコン２１３が継続して動作し、スイッチング素子１５がオン状態を維持する。
【０１１０】
Ｂ部の電圧が立ち下がると、電源制御マイコン２１３が計時を開始する（計時処理の開始）。なお、スイッチング素子１５がオフとなっている状態で停電が発生したものとしても、Ｂ部の電圧は十分に低いまま変化しないので、電源制御マイコン２１３が電圧降下時間の測定処理を実行しない。
【０１１１】
電圧降下時間の測定処理の実行中に計時時間が所定の閾値を超える前に、停電から復帰したら、ＡＣ−ＤＣコンバーター１１の出力電圧が立ち上がり、Ｂ部の電圧も立ち上がる。そうすると、電源制御マイコン２１３がスイッチング素子１５のオン状態を維持する。更に、電源制御マイコン２１３が計時を終了し、その計時時間をリセットする。Ｂ部の電圧が立ち上がることによって、電子機器本体部５０及びメインマイコン３０が起動する。停電から復帰後にメインマイコン３０が起動すると、そのメインマイコン３０は状態データを不揮発性メモリ３１から読み取り、その状態データに従って電子機器本体部５０を制御して電子機器本体部５０の初期設定を行う。
【０１１２】
一方、電圧降下時間の測定処理の実行中に計時時間が所定の閾値を超えたら、電源制御マイコン２１３が計時を終了し、電源制御マイコン２１３がスイッチング素子１５をオフ状態にする。そのため、電圧降下時間が所定の閾値を超えて、停電が長期停電であれば、その後に停電から復帰してもメインマイコン３０及び電子機器本体部５０が起動しない。
【０１１３】
本実施形態においても、停電が発生しても電源制御マイコン２１３の動作が継続するから、瞬断からの復帰後に電子機器１が自動的にオン状態になる。そのため、瞬断後にユーザーが電子機器１Ｂをオン操作する必要がなくなる。長期停電の場合には、スイッチング素子１５がオフ状態になるので、ＡＣプラグを抜いて、ＡＣプラグ挿したような場合に、いきなり起動されてしまうようなことを防ぐことができる。また、停電中に外乱等が発生したとしても電子機器本体部５０やメインマイコン３０に過剰電流・過剰電圧がかからない。さらに、キャパシタ２２２が小容量で済む。
【０１１４】
以上に本発明の実施形態を説明したが、本発明の技術的範囲は上述の実施の形態に限定するものではなく、特許請求の範囲に記載に基づいて定められる。更に、特許請求の範囲に記載から本発明の本質とは関係のない変更を加えた均等な範囲も本発明の技術的範囲に含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
電子機器本体部と、
前記電子機器本体部に供給される電力の電圧が降下した時から前記電子機器本体部に供給される電力の電圧が上昇した時までの電圧降下時間を所定の閾値と比較して、その比較結果を出力する電圧降下時間比較部と、
起動時に前記電圧降下時間比較部の比較結果を読み取り、その比較結果が前記閾値以下の旨である場合に前記電子機器本体部を起動させる制御部と、を備える、
ことを特徴とする電子機器。
＜請求項２＞
前記比較結果が前記閾値を超える旨である場合に、前記制御部が前記電子機器本体部を起動させない、
ことを特徴とする請求項１に記載の電子機器。
＜請求項３＞
電子機器本体部と、
前記電子機器本体部に供給される電力の電圧が降下した時から前記電子機器本体部に供給される電力の電圧が上昇した時までの電圧降下時間を所定の閾値と比較して、その比較結果を出力する電圧降下時間比較部と、
起動時に前記電圧降下時間比較部の比較結果を読み取り、その比較結果が前記閾値以下の旨である場合に前記電子機器本体部を電圧が降下する前の電源状態に復帰させる制御部と、を備える、
ことを特徴とする電子機器。
＜請求項４＞
前記比較結果が前記閾値を超える旨である場合に前記制御部が前記電子機器本体部を起動させない、
ことを特徴とする請求項３に記載の電子機器。
＜請求項５＞
前記電子機器本体部及び前記制御部に電力を供給する電源回路と、
前記電源回路の電力出力部と前記電子機器本体部の電源入力部との間に設けられ、ノーマリーオフのスイッチング素子と、を更に備え、
前記比較結果が前記閾値以下の旨である場合に前記制御部が前記スイッチング素子をオン状態にすることによって前記電子機器本体部を起動させる、
ことを特徴とする請求項１から４の何れか一項に記載の電子機器。
＜請求項６＞
前記比較結果が前記閾値を超える旨である場合に前記制御部が前記スイッチング素子をオフ状態にすることによって前記電子機器本体部を起動させない、
ことを特徴とする請求項５に記載の電子機器。
＜請求項７＞
電子機器本体部と、
前記電子機器本体部に供給される電力の電圧を入力し、その入力電圧に対して遅れて応答する電圧を出力する遅延部と、
前記遅延部の出力電圧を所定の閾値と比較し、その比較結果を出力するコンパレータと、
起動時に前記コンパレータの比較結果を読み取り、その比較結果が前記閾値以上の旨である場合に前記電子機器本体部を起動させる制御部と、を備える、
ことを特徴とする電子機器。
＜請求項８＞
前記比較結果が前記閾値未満の旨である場合に前記制御部が前記電子機器本体部を起動させない、
ことを特徴とする請求項７に記載の電子機器。
＜請求項９＞
前記電子機器本体部及び前記制御部に電力を供給する電源回路と、
前記電源回路の電力出力部と前記電子機器本体部の電源入力部との間に設けられ、ノーマリーオフのスイッチング素子と、を更に備え、
前記比較結果が前記閾値以上の旨である場合に前記制御部が前記スイッチング素子をオン状態にすることによって前記電子機器本体部を起動させる、
ことを特徴とする請求項７又は８に記載の電子機器。
＜請求項１０＞
前記比較結果が前記閾値未満の旨である場合に前記制御部が前記スイッチング素子をオフ状態にすることによって前記電子機器本体部を起動させない、
ことを特徴とする請求項９に記載の電子機器。
＜請求項１１＞
電子機器本体部と、
前記電子機器本体部に供給される電力の電圧が降下した時から計時を開始し、その計時時間が所定の閾値を超える以前に前記電子機器本体部に供給される電力の電圧が上昇したか否かの判定結果を出力する電圧降下時間計測部と、
前記電圧降下時間計測部の電源電圧を保持する保持部と、
起動時に前記電圧降下時間計測部の判定結果を読み取り、その判定結果が否でない場合に前記電子機器本体部を起動させる制御部と、を備える、
ことを特徴とする電子機器。
＜請求項１２＞
電子機器本体部と、
前記電子機器本体部に電力を供給する電源回路と、
前記電源回路の電力出力部と前記電子機器本体部の電源入力部との間に設けられ、ノーマリーオフのスイッチング素子と、
前記電子機器本体部の電源入力部の電圧が降下した時から計時を開始し、その計時時間が所定の閾値を超える以前に前記電源回路の電力出力部の電圧が上昇したか否かの判定結果を出力する電圧降下時間計測部と、
前記電圧降下時間計測部の電源電圧を保持する保持部と、
起動時に前記電圧降下時間計測部の判定結果を読み取り、その判定結果が否でない場合に前記電子機器本体部を起動させる制御部と、を備える、
ことを特徴とする電子機器。
＜請求項１３＞
前記判定結果が否である場合に前記制御部が前記電子機器本体部を起動させない、
ことを特徴とする請求項１１又は１２に記載の電子機器。
＜請求項１４＞
不揮発性の記憶部と、
前記電子機器本体部に供給される電力の電圧降下前に前記電子機器本体部の状態を表す状態データを前記記憶部に記録する電子機器制御部と、を更に備え、
前記制御部が前記電子機器本体部とともに前記電子機器制御部を起動させ、前記電子機器制御部が起動時に前記記憶部から前記状態データを読み取るとともに、その読み取った状態データに従って前記電子機器本体部を動作させる、
ことを特徴とする請求項１から１３の何れか一項に記載の電子機器。
＜請求項１５＞
電子機器本体部と、
前記電子機器本体部に電力を供給する電源回路と、
前記電源回路の電力出力部と前記電子機器本体部の電源入力部との間に設けられたスイッチング素子と、
前記スイッチング素子をオンにした状態で前記電子機器本体部に供給される電力の電圧を入力し、その入力電圧が降下した時から計時を開始し、その計時時間が所定の閾値を超えた後に前記入力電圧が上昇した場合に前記スイッチング素子をオフにし、前記計時時間が前記閾値を超える前に前記電子機器本体部の電源入力部の入力電圧が上昇した場合に前記スイッチング素子をオンに保つ制御部と、
前記制御部の電源電圧を保持する保持部と、を備える、
ことを特徴とする電子機器。
＜請求項１６＞
不揮発性の記憶部と、
前記スイッチング素子よりも前記電子機器本体側で前記電源回路の電力を入力し、前記電子機器本体部に供給される電力の電圧降下前に前記電子機器本体部の状態を表す状態データを前記記憶部に記録する電子機器制御部と、を更に備え、
前記電子機器制御部が前記電源回路の出力電圧の上昇によって起動し、その起動時に前記記憶部から前記状態データを読み取るとともに、その読み取った状態データに従って前記電子機器本体部を動作させる、
ことを特徴とする請求項１５に記載の電子機器。
＜請求項１７＞
前記電子機器本体部が、映像を投影する投影装置本体部である、
ことを特徴とする請求項１から１６の何れか一項に記載の電子機器。
＜請求項１８＞
電子機器本体部に供給される電力の電圧が降下した時から前記電子機器本体部に供給される電力の電圧が上昇した時までの電圧降下時間を所定の閾値と比較して、その比較結果を出力するステップと、
起動時に前記比較結果を読み取り、その比較結果が前記閾値以下の旨である場合に前記電子機器本体部を起動させるステップと、を備える、
ことを特徴とする電子機器の制御方法。
＜請求項１９＞
電子機器のコンピュータに、
電子機器本体部に供給される電力の電圧が降下した時から前記電子機器本体部に供給される電力の電圧が上昇した時までの電圧降下時間を所定の閾値と比較して、その比較結果を出力する機能と、
起動時に前記比較結果を読み取り、
その比較結果が前記閾値以下の旨である場合に前記電子機器本体部を起動させる機能と、を実現させるためのプログラム。
【符号の説明】
【０１１５】
１，１Ａ，１Ｂ  電子機器
１１  第一電源回路
１３  電源制御マイコン（制御部）
１５  スイッチング素子
２０  電圧降下時間比較部
２１  整流素子
２２  キャパシタ
２３〜２５  抵抗器
２６  電圧検知ＩＣ（コンパレータ）
３０  メインマイコン
３１  不揮発性メモリ（不揮発性の記憶部）
５０  電子機器本体部
１２０  電圧降下時間計測マイコン（電圧降下時間計測部、電圧降下時間比較部）
１２２  キャパシタ（保持部）
２１３  電源制御マイコン（制御部）
２２２  キャパシタ（保持部）
【図１】
2015018303.tif 000003
【図２】
2015018303.tif 000004
【図３】
2015018303.tif 000005
【図４】
2015018303.tif 000006
【図５】
2015018303.tif 000007
【図６】
2015018303.tif 000008